【手続補正書】
【提出日】平成16年4月13日(2004.4.13)
【手続補正１】
【補正対象書類名】明細書
【補正対象項目名】特許請求の範囲
【補正方法】変更
【補正の内容】
【特許請求の範囲】
【請求項１】
所定のルートに沿って荷物を配送する配送車の管理に使用する、配送担当者の、配送先のリストと配送順と配送時刻とを示したタイムスケジュールを記憶しておく記憶手段と、
前記配送担当者のモバイル端末により入力された前記配送先毎の、配送が正常に終了したか否かを指定する、配送結果データを取得する配送結果取得手段と、
前記タイムスケジュール中の前記配送先のリストのうち、前記配送結果データを取得していない配送先であって、少なくとも次に荷物を配送する配送先の表示を含む配送結果報告画面を、前記タイムスケジュールデータを参照して生成し、前記配送担当者のモバイル端末に表示する報告用画面表示手段と、
前記タイムスケジュールと前記配送結果データを参照して、前記配送先名と配送が正常に終了したか否かを示すデータと配送時刻を含む管理データを生成し、この管理データをネットワークを通じて荷主の端末装置に表示して閲覧をさせるための、実績表示ウェブページを生成して、前記ネットワークに接続されたサーバの記憶装置に記憶させる、実績管理手段を備えたことを特徴とする配送業務用のタイムスケジュール管理システム。
【請求項２】
請求項１に記載のタイムスケジュール管理システムにおいて、
報告用画面表示手段と配送結果取得手段は、配送担当者のモバイル端末に、配送先毎の配送結果報告画面を表示し、配送が正常に終了したか否かを指定する操作のみにより、配送結果データを取得することを特徴とする配送業務用のタイムスケジュール管理システム。
【請求項３】
請求項１に記載のタイムスケジュール管理システムにおいて、
配送結果データには、少なくとも各配送先への配送が正常に終了したか否かを示すデータと、配送時刻とが含まれることを特徴とする配送業務用のタイムスケジュール管理システム。
【請求項４】
請求項１に記載のタイムスケジュール管理システムにおいて、
実績管理手段は、配送結果データ中から配送が正常に終了しなかった場合の情報のみを抽出して、実績表示ウェブページを生成することを特徴とする配送業務用のタイムスケジュール管理システム。
【請求項５】
請求項１に記載のタイムスケジュール管理システムにおいて、
報告用画面表示手段は、配送担当者のモバイル端末に次の配送先への道順の略図表示制御をすることを特徴とする配送業務用のタイムスケジュール管理システム。
【請求項６】
請求項１に記載のタイムスケジュール管理システムにおいて、
実績管理手段は、配送先のリストと配送順と配送時刻とを示したタイムスケジュールを、配送依頼者別に編集して、前記実績表示ウェブページを生成し、ネットワークを通じ荷主の端末装置に表示して閲覧させることを特徴とする配送業務用のタイムスケジュール管理システム。
【請求項７】
請求項１に記載のタイムスケジュール管理システムにおいて、
実績管理手段は、配送先のリストと配送順と配送時刻とを示したタイムスケジュールを、配送依頼者別に編集して、閲覧を要求する配送依頼者以外の配送依頼者名の表示をマスクして、前記実績表示ウェブページを生成し、ネットワークを通じ荷主の端末装置に表示して閲覧させることを特徴とする配送業務用のタイムスケジュール管理システム。
【請求項８】
請求項１に記載のタイムスケジュール管理システムにおいて、
モバイル端末には、配送先に設けられた、配送確認情報の入力手段により、配送先を示す配送確認情報を取得する手段と、
この配送確認情報と、報告用の配送結果データとを比較して、両者に含まれる配送先情報が一致した場合にのみ、前記配送結果データを配送結果取得手段に送信する配送先照合手段を設けたことを特徴とする配送業務用のタイムスケジュール管理システム。
【請求項９】
所定のタイムスケジュールに従って遂行される業務の結果を示す情報を含む業務報告用情報を送信する機能を持つ装置であって、
前記業務が遂行される場所において、送信場所を示す確認情報を取得する手段と、
この確認情報と前記業務報告用情報とを比較して、両者に含まれる前記送信場所を示す情報が一致した場合にのみ、前記業務報告用情報の送信を許可する送信場所照合手段を設けたことを特徴とする業務報告用のモバイル端末装置。
【手続補正２】
【補正対象書類名】明細書
【補正対象項目名】０００４
【補正方法】変更
【補正の内容】
【０００４】
【課題を解決するための手段】
本発明は以上の点を解決するため次の構成を採用する。
〈構成１〉
所定のルートに沿って荷物を配送する配送車の管理に使用する、配送担当者の、配送先のリストと配送順と配送時刻とを示したタイムスケジュールを記憶しておく記憶手段と、上記配送担当者のモバイル端末により入力された上記配送先毎の、配送が正常に終了したか否かを指定する、配送結果データを取得する配送結果取得手段と、上記タイムスケジュール中の上記配送先のリストのうち、上記配送結果データを取得していない配送先であって、少なくとも次に荷物を配送する配送先の表示を含む配送結果報告画面を、上記タイムスケジュールデータを参照して生成し、上記配送担当者のモバイル端末に表示する報告用画面表示手段と、上記タイムスケジュールと上記配送結果データを参照して、上記配送先名と配送が正常に終了したか否かを示すデータと配送時刻を含む管理データを生成し、この管理データをネットワークを通じて荷主の端末装置に表示して閲覧をさせるための、実績表示ウェブページを生成して、上記ネットワークに接続されたサーバの記憶装置に記憶させる、実績管理手段を備えたことを特徴とする配送業務用のタイムスケジュール管理システム。


【手続補正３】
【補正対象書類名】明細書
【補正対象項目名】０００８
【補正方法】変更
【補正の内容】
【０００８】
〈構成５〉
構成１に記載のタイムスケジュール管理システムにおいて、報告用画面表示手段は、配送担当者のモバイル端末に次の配送先への道順の略図表示制御をすることを特徴とする配送業務用のタイムスケジュール管理システム。


【手続補正４】
【補正対象書類名】明細書
【補正対象項目名】０００９
【補正方法】変更
【補正の内容】
【０００９】
〈構成６〉
構成１に記載のタイムスケジュール管理システムにおいて、実績管理手段は、配送先のリストと配送順と配送時刻とを示したタイムスケジュールを、配送依頼者別に編集して、上記実績表示ウェブページを生成し、ネットワークを通じ荷主の端末装置に表示して閲覧させることを特徴とする配送業務用のタイムスケジュール管理システム。


【手続補正５】
【補正対象書類名】明細書
【補正対象項目名】００１０
【補正方法】変更
【補正の内容】
【００１０】
〈構成７〉
構成１に記載のタイムスケジュール管理システムにおいて、実績管理手段は、配送先のリストと配送順と配送時刻とを示したタイムスケジュールを、配送依頼者別に編集して、閲覧を要求する配送依頼者以外の配送依頼者名の表示をマスクして、上記実績表示ウェブページを生成し、ネットワークを通じ荷主の端末装置に表示して閲覧させることを特徴とする配送業務用のタイムスケジュール管理システム。


【手続補正６】
【補正対象書類名】明細書
【補正対象項目名】００１１
【補正方法】変更
【補正の内容】
【００１１】
〈構成８〉
構成１に記載のタイムスケジュール管理システムにおいて、モバイル端末には、配送先に設けられた、配送確認情報の入力手段により、配送先を示す配送確認情報を取得する手段と、この配送確認情報と、報告用の配送結果データとを比較して、両者に含まれる配送先情報が一致した場合にのみ、上記配送結果データを配送結果取得手段に送信する配送先照合手段を設けたことを特徴とする配送業務用のタイムスケジュール管理システム。


【手続補正７】
【補正対象書類名】明細書
【補正対象項目名】００１２
【補正方法】変更
【補正の内容】
【００１２】
〈構成９〉
所定のタイムスケジュールに従って遂行される業務の結果を示す情報を含む業務報告用情報を送信する機能を持つ装置であって、上記業務が遂行される場所において、送信場所を示す確認情報を取得する手段と、この確認情報と上記業務報告用情報とを比較して、両者に含まれる上記送信場所を示す情報が一致した場合にのみ、上記業務報告用情報の送信を許可する送信場所照合手段を設けたことを特徴とする業務報告用のモバイル端末装置。